(57)【要約】【課題】再生装置の部品点数が増加するのを抑制しながら、裏番組のハイライトシーンの発生を監視することが可能な表示システムを提供する。【解決手段】表示システム５００は、ＤＶＤレコーダ１００と液晶テレビ２００とを備える。ＤＶＤレコーダ１００は、「コンテンツＢ」を受信するチューナ１１１と、「コンテンツＢ」を液晶テレビ２００に出力するＨＤＭＩ出力端子１１５と、「コンテンツＢ」のハイライトシーンを検出する検出部１１７とを含む。液晶テレビ２００は、「コンテンツＡ」を受信するチューナ２１１と、「コンテンツＡ」の映像を表示する表示部２１７と、ＤＶＤレコーダ１００から「コンテンツＢ」が入力されるＨＤＭＩ入力端子２１３とを含む。ＤＶＤレコーダ１００は、検出部１１７により「コンテンツＢ」のハイライトシーンを検出した場合に、ＨＤＭＩ出力端子１１５により液晶テレビ２００に制御信号を出力する。【選択図】図１
2010273002.tif 000002
【特許請求の範囲】
【請求項１】
コンテンツを再生する再生装置と、前記再生装置により再生されるコンテンツの映像を表示する表示装置と、を備えた表示システムにおいて、
前記再生装置は、
コンテンツを受信する第１受信部と、
前記第１受信部により受信したコンテンツを前記表示装置に出力する出力部と、
前記第１受信部により受信したコンテンツのハイライトシーンを検出する検出部とを含み、
前記表示装置は、
コンテンツを受信する第２受信部と、
前記再生装置からコンテンツが入力される入力部と、
前記第２受信部により受信したコンテンツ、または、前記入力部に入力されるコンテンツの映像を表示する表示部と、
前記表示部に表示されるコンテンツを切り替える切替部とを含み、
前記再生装置は、前記検出部によりコンテンツのハイライトシーンを検出した場合に、前記出力部により前記表示装置に制御信号を出力する、ことを特徴とする表示システム。
【請求項２】
請求項１に記載の表示システムにおいて、
前記表示装置は、前記第２受信部により受信したコンテンツの映像が前記表示部に表示されている際に、前記制御信号が前記入力部に入力された場合に、前記切替部により、前記表示部に表示されるコンテンツを、前記第２受信部により受信したコンテンツから前記入力部に入力されるコンテンツに切り替える、ことを特徴とする表示システム。
【請求項３】
請求項１に記載の表示システムにおいて、
前記表示装置は、前記第２受信部により受信したコンテンツの映像が前記表示部に表示されている際に、前記制御信号が前記入力部に入力された場合に、ハイライトシーンが検出されたことを通知する画面を前記表示部に表示する、ことを特徴とする表示システム。
【請求項４】
請求項１ないし請求項３のいずれかに記載の表示システムにおいて、
前記再生装置の出力部は、ＨＤＭＩ出力端子を含み、
前記表示装置の入力部は、ＨＤＭＩ入力端子を含む、ことを特徴とする表示システム。
【請求項５】
コンテンツを再生する再生装置において、
コンテンツを受信する第１受信部と、
前記第１受信部により受信したコンテンツを表示装置に出力する出力部と、
前記第１受信部により受信したコンテンツのハイライトシーンを検出する検出部とを備え、
前記出力部は、前記検出部によりコンテンツのハイライトシーンを検出した場合に、前記表示装置に制御信号を出力する、ことを特徴とする再生装置。
【発明の詳細な説明】
【技術分野】
【０００１】
本発明は、コンテンツのハイライトシーンを監視する機能を備えた表示システムおよび再生装置に関する。
【背景技術】
【０００２】
従来、利用者がコンテンツのハイライトシーンの発生を知ることが可能な再生装置やテレビ受像装置が知られている（たとえば、特許文献１〜３参照）。
【０００３】
上記特許文献１および２には、同じ時間帯に放送される第１の番組および第２の番組を受信する受信部と、受信部により受信した第１の番組を表示装置に出力する出力部と、受信部により受信した第２の番組のハイライトシーンを検出する検出部とを備えた再生装置が開示されている。
【０００４】
すなわち、上記特許文献１および２の再生装置では、第１の番組を表示装置に表示させながら、いわゆる裏番組である第２の番組のハイライトシーンの発生を監視することが可能である。
【０００５】
そして、上記特許文献１の再生装置では、第２の番組のハイライトシーンが検出された場合に、表示装置に表示される番組が第１の番組から第２の番組に切り替えられる。また、上記特許文献２の再生装置では、第２の番組のハイライトシーンが検出された場合に、ハイライトシーンが検出されたことを通知する画面が表示装置に表示される。
【０００６】
また、上記特許文献３には、ハイライトシーンを検出した場合に、ハイライトシーンが検出されたことを通知するテレビ受像装置が開示されている。
【先行技術文献】
【特許文献】
【０００７】
【特許文献１】特開２０００−２７０２７４号公報
【特許文献２】特開２００５−２５０７３８号公報
【特許文献３】特開２００７−３１８５０８号公報
【発明の概要】
【発明が解決しようとする課題】
【０００８】
しかしながら、上記特許文献１および２に開示された従来の再生装置では、同じ時間帯に放送される第１の番組および第２の番組を受信するために複数の受信部を設ける必要があり、再生装置の部品点数が増加するという問題点がある。
【０００９】
本発明は、上述した課題を解決するものであって、その目的とするところは、再生装置の部品点数が増加するのを抑制しながら、裏番組のハイライトシーンの発生を監視することが可能な表示システムおよび再生装置を提供することである。
【課題を解決するための手段】
【００１０】
本発明の表示システムは、コンテンツを再生する再生装置と、再生装置により再生されるコンテンツの映像を表示する表示装置と、を備える。再生装置は、コンテンツを受信する第１受信部と、第１受信部により受信したコンテンツを表示装置に出力する出力部と、第１受信部により受信したコンテンツのハイライトシーンを検出する検出部とを含む。表示装置は、コンテンツを受信する第２受信部と、再生装置からコンテンツが入力される入力部と、第２受信部により受信したコンテンツ、または、入力部に入力されるコンテンツの映像を表示する表示部と、表示部に表示されるコンテンツを切り替える切替部とを含む。再生装置は、検出部によりコンテンツのハイライトシーンを検出した場合に、出力部により表示装置に制御信号を出力する。
【００１１】
このように構成することによって、表示装置の第２受信部により受信したコンテンツを表示部に表示させながら、再生装置の第１受信部により受信したコンテンツ（裏番組）のハイライトシーンを検出部により検出することができる。これにより、再生装置に複数の受信部を設ける必要がないので、再生装置の部品点数が増加するのを抑制しながら、裏番組のハイライトシーンの発生を監視することができる。そして、検出部により裏番組のハイライトシーンが検出された場合に、再生装置から表示装置に制御信号を出力する。このため、表示装置に制御信号が入力された場合に、切替部により、表示部に表示されるコンテンツを、入力部に入力されるコンテンツ（裏番組）に切り替えれば、利用者が裏番組のハイライトシーンを視聴することができる。また、表示装置に制御信号が入力された場合に、ハイライトシーンが検出されたことを通知する画面を表示部に表示すれば、利用者が裏番組においてハイライトシーンが発生したことを知ることができる。
【００１２】
上記表示システムにおいて、表示装置は、第２受信部により受信したコンテンツの映像が表示部に表示されている際に、制御信号が入力部に入力された場合に、切替部により、表示部に表示されるコンテンツを、第２受信部により受信したコンテンツから入力部に入力されるコンテンツに切り替えるようにしてもよい。
【００１３】
上記表示システムにおいて、表示装置は、第２受信部により受信したコンテンツの映像が表示部に表示されている際に、制御信号が入力部に入力された場合に、ハイライトシーンが検出されたことを通知する画面を表示部に表示するようにしてもよい。
【００１４】
上記表示システムにおいて、再生装置の出力部は、ＨＤＭＩ出力端子を含み、表示装置の入力部は、ＨＤＭＩ入力端子を含んでいてもよい。
【００１５】
また、本発明の再生装置は、コンテンツを再生する再生装置において、コンテンツを受信する第１受信部と、第１受信部により受信したコンテンツを表示装置に出力する出力部と、第１受信部により受信したコンテンツのハイライトシーンを検出する検出部とを備え、出力部は、検出部によりコンテンツのハイライトシーンを検出した場合に、表示装置に制御信号を出力する。
【００１６】
このように構成することによって、表示装置にコンテンツを表示させながら、再生装置の第１受信部により受信したコンテンツ（裏番組）のハイライトシーンを検出部により検出することができる。これにより、再生装置に複数の受信部を設ける必要がないので、再生装置の部品点数が増加するのを抑制しながら、裏番組のハイライトシーンの発生を監視することができる。そして、検出部により裏番組のハイライトシーンが検出された場合に、再生装置から表示装置に制御信号を出力する。このため、表示装置に制御信号が入力された場合に、表示装置が表示するコンテンツを再生装置の出力部から出力されるコンテンツ（裏番組）に切り替えれば、利用者が裏番組のハイライトシーンを視聴することができる。また、表示装置に制御信号が入力された場合に、ハイライトシーンが検出されたことを通知する画面を表示装置が表示すれば、利用者が裏番組においてハイライトシーンが発生したことを知ることができる。
【発明の効果】
【００１７】
本発明によれば、再生装置の部品点数が増加するのを抑制しながら、裏番組のハイライトシーンの発生を監視することが可能な表示システムおよび再生装置を提供することができる。
【図面の簡単な説明】
【００１８】
【図１】本発明の一実施形態による表示システムの全体構成を示したブロック図である。
【図２】図１の表示システムの動作を説明するためのフローチャートである。
【図３】図１の液晶テレビの表示部にハイライトシーンが発生したことを通知する画面が表示された状態を示した図である。
【発明を実施するための形態】
【００１９】
以下、本発明の実施形態について、図面を参照しながら説明する。
【００２０】
まず、図１を参照して、本発明の一実施形態による表示システム５００の構成について説明する。
【００２１】
本実施形態による表示システム５００は、図１に示すように、コンテンツを記録および再生するＤＶＤレコーダ１００と、ＤＶＤレコーダ１００により再生されるコンテンツを表示する液晶テレビジョン受像機（以下、「液晶テレビ」という）２００とを備えている。なお、ＤＶＤレコーダ１００は、本発明の「再生装置」の一例であり、液晶テレビ２００は、本発明の「表示装置」の一例である。
【００２２】
ＤＶＤレコーダ１００と液晶テレビ２００とは、ＨＤＭＩ（High-Definition Multimedia Interface）ケーブル３００により接続されている。ＨＤＭＩケーブル３００は、映像信号および音声信号を一方向に伝送するＴＭＤＳ（Transition Minimized Differential
Signaling）ラインと、制御信号を双方向に伝送するＣＥＣ（Consumer Electronics Control）ラインとを含んでいる。
【００２３】
そして、ＤＶＤレコーダ１００および液晶テレビ２００は、ＨＤＭＩケーブル３００のＣＥＣラインを介して制御信号をやりとりすることにより、互いに相手側の動作を制御することが可能である。たとえば、液晶テレビ２００は、電源がオフ状態に切り替えられた場合に、ＨＤＭＩケーブル３００のＣＥＣラインを介して制御信号をＤＶＤレコーダ１００に送信する。そして、ＤＶＤレコーダ１００は、液晶テレビ２００からその制御信号を受信した場合に、液晶テレビ２００と連動して電源がオフ状態に切り替えられる。
【００２４】
ＤＶＤレコーダ１００は、レコーダ本体１０１と、レコーダ本体１０１を遠隔操作するリモコン１０２とを含んでいる。
【００２５】
レコーダ本体１０１は、チューナ１１１と、ＨＤＤ部１１２と、ＤＶＤ部１１３と、信号処理部１１４と、ＨＤＭＩ出力端子１１５と、受信部１１６と、検出部１１７と、フロントマイコン１１８と、制御部１１９とを含んでおり、これらはバス１０１ａを介して接続されている。なお、チューナ１１１は、本発明の「第１受信部」の一例であり、ＨＤＭＩ出力端子１１５は、本発明の「出力部」の一例である。
【００２６】
チューナ１１１には、アンテナ（図示省略）が接続されており、チューナ１１１は、地上デジタル放送などのテレビジョン放送（コンテンツ）を受信するとともに、受信したコンテンツを信号処理部１１４に出力する。
【００２７】
ＨＤＤ部１１２は、ハードディスクなどを含み、チューナ１１１が受信したコンテンツなどを記憶するとともに、記憶したコンテンツを信号処理部１１４に出力する。
【００２８】
ＤＶＤ部１１３は、光ピックアップなどを含み、チューナ１１１が受信したコンテンツなどをＤＶＤ（図示省略）に記録するとともに、ＤＶＤに記録されたコンテンツを読み取って信号処理部１１４に出力する。
【００２９】
信号処理部１１４は、デコーダなどを含み、チューナ１１１、ＨＤＤ部１１２、および、ＤＶＤ部１１３から入力されたコンテンツに対して所定の処理を施す。そして、信号処理部１１４は、所定の処理が施された映像信号および音声信号をＨＤＭＩ出力端子１１５および検出部１１７に出力する。
【００３０】
ＨＤＭＩ出力端子１１５は、信号処理部１１４から入力される映像信号および音声信号をＨＤＭＩケーブル３００のＴＭＤＳラインを介して液晶テレビ２００に出力する。受信部１１６は、フォトダイオードなどを含み、リモコン１０２から出力されるリモコン信号を受信する。
【００３１】
検出部１１７は、信号処理部１１４から入力される映像信号および音声信号に基づいて、コンテンツのハイライトシーンの検出を行う。なお、ハイライトシーンは、たとえば、スポーツ中継における得点シーンなどの利用者が注目するであろうと考えられるシーンであり、コンテンツの音声の盛り上がりなどに基づいて判断される。
【００３２】
フロントマイコン１１８は、ＨＤＭＩケーブル３００のＣＥＣラインを介した制御信号（ＣＥＣコマンド）のやりとりを制御する。具体的には、フロントマイコン１１８は、ＨＤＭＩ出力端子１１５からＨＤＭＩケーブル３００のＣＥＣラインを介して制御信号を液晶テレビ２００に出力する。また、フロントマイコン１１８は、液晶テレビ２００からＨＤＭＩ出力端子１１５に制御信号が入力された場合に、入力された制御信号に基づいて動作する。
【００３３】
制御部１１９は、ＣＰＵ、ＲＯＭ、およびＲＡＭなどを含み、レコーダ本体１０１の動作を制御する。リモコン１０２は、利用者からの操作指令を受け付ける操作ボタンや、操作指令に応じてリモコン信号を発信する発信部などを含んでいる。
【００３４】
液晶テレビ２００は、テレビ本体２０１と、テレビ本体２０１を遠隔操作するリモコン２０２とを含んでいる。
【００３５】
テレビ本体２０１は、チューナ２１１と、信号処理部２１２と、ＨＤＭＩ入力端子２１３と、切替部２１４と、映像処理部２１５と、ＯＳＤ（On-Screen Display）部２１６と、表示部２１７と、音声処理部２１８と、音声出力部２１９と、受信部２２０と、フロントマイコン２２１と、制御部２２２とを含んでおり、これらはバス２０１ａを介して接続されている。なお、チューナ２１１は、本発明の「第２受信部」の一例であり、ＨＤＭＩ入力端子２１３は、本発明の「入力部」の一例である。
【００３６】
チューナ２１１には、アンテナ（図示省略）が接続されており、チューナ２１１は、地上デジタル放送などのテレビジョン放送（コンテンツ）を受信するとともに、受信したコンテンツを信号処理部２１２に出力する。
【００３７】
信号処理部２１２は、デコーダなどを含み、チューナ２１１から入力されたコンテンツに対して所定の処理を施す。そして、信号処理部２１２は、所定の処理が施された映像信号および音声信号を切替部２１４に出力する。
【００３８】
ＨＤＭＩ入力端子２１３には、ＤＶＤレコーダ１００からＨＤＭＩケーブル３００のＴＭＤＳラインを介して映像信号および音声信号が入力される。そして、ＨＤＭＩ入力端子２１３は、入力された映像信号および音声信号を切替部２１４に出力する。
【００３９】
切替部２１４は、表示部２１７および音声出力部２１９に出力される信号を切り替えるために設けられている。具体的には、切替部２１４は、「テレビ表示」に設定されているときには、信号処理部２１２から入力される映像信号を映像処理部２１５に出力するとともに、信号処理部２１２から入力される音声信号を音声処理部２１８に出力する。また、切替部２１４は、「外部入力」に設定されているときには、ＨＤＭＩ入力端子２１３から入力される映像信号を映像処理部２１５に出力するとともに、ＨＤＭＩ入力端子２１３から入力される音声信号を音声処理部２１８に出力する。
【００４０】
映像処理部２１５は、スケーリング回路などを含み、切替部２１４から入力された映像信号に対して所定の処理を施す。そして、映像処理部２１５は、所定の処理が施された映像信号を表示部２１７に出力する。ＯＳＤ部２１６は、ＯＳＤ信号を生成するとともに、生成したＯＳＤ信号を映像処理部２１５から出力される映像信号に重畳して表示部２１７に出力する。
【００４１】
表示部２１７は、液晶パネルやバックライトなどを含み、映像処理部２１５から入力される映像信号およびＯＳＤ部２１６から入力されるＯＳＤ信号に基づいて映像を表示する。
【００４２】
音声処理部２１８は、アンプなどを含み、切替部２１４から入力された音声信号に対して所定の処理を施す。そして、音声処理部２１８は、所定の処理が施された音声信号を音声出力部２１９に出力する。音声出力部２１９は、スピーカなどを含み、音声処理部２１８から入力される音声信号に基づいて音声を再生する。受信部２２０は、フォトダイオードなどを含み、リモコン２０２から出力されるリモコン信号を受信する。
【００４３】
フロントマイコン２２１は、ＨＤＭＩケーブル３００のＣＥＣラインを介した制御信号のやりとりを制御する。具体的には、フロントマイコン２２１は、ＨＤＭＩ入力端子２１３からＨＤＭＩケーブル３００のＣＥＣラインを介して制御信号をＤＶＤレコーダ１００に出力する。また、フロントマイコン２２１は、ＤＶＤレコーダ１００からＨＤＭＩ入力端子２１３に制御信号が入力された場合に、入力された制御信号に基づいて動作する。
【００４４】
制御部２２２は、ＣＰＵ、ＲＯＭ、およびＲＡＭなどを含み、テレビ本体２０１の動作を制御する。リモコン２０２は、利用者からの操作指令を受け付ける操作ボタンや、操作指令に応じてリモコン信号を発信する発信部などを含んでいる。
【００４５】
次に、図１および図２を参照して、本実施形態による表示システム５００の動作について説明する。なお、以下の動作説明では、「コンテンツＡ」および「コンテンツＢ」が同時に放送されるときに、液晶テレビ２００の表示部２１７に「コンテンツＡ」を表示させながら、いわゆる裏番組である「コンテンツＢ」のハイライトシーンの発生を監視する場合について説明する。また、このフローチャートにおいて、ＤＶＤレコーダ１００および液晶テレビ２００の各ステップは、それぞれ、制御部１１９および２２２により実行される。
【００４６】
まず、ＤＶＤレコーダ１００では、図２のステップＳ１において、裏番組である「コンテンツＢ」のハイライトシーンの発生の監視が設定されたか否かが判断される。なお、監視設定は、たとえば、利用者がリモコン１０２を操作することにより表示される電子番組表を用いて行われる。そして、ハイライトシーンの監視が設定されたと判断された場合には、ステップＳ２に移る。その一方、ハイライトシーンの監視が設定されていないと判断された場合には、ステップＳ１が繰り返し行われる。
【００４７】
次に、ステップＳ２において、監視が設定された「コンテンツＢ」の放送が開始されたか否かが判断される。「コンテンツＢ」の放送が開始されていないと判断された場合には、ステップＳ２が繰り返し行われる。すなわち、ＤＶＤレコーダ１００は、「コンテンツＢ」の放送が開始されるまで待機する。そして、「コンテンツＢ」の放送が開始されたと判断された場合には、ステップＳ３に移る。
【００４８】
次に、ステップＳ３において、チューナ１１１により、監視が設定された「コンテンツＢ」の受信が開始される。これにより、「コンテンツＢ」は、信号処理部１１４を介して検出部１１７に入力されるとともに、信号処理部１１４を介してＨＤＭＩ出力端子１１５から液晶テレビ２００に出力される。なお、このとき、液晶テレビ２００では、「コンテンツＢ」と同時に放送される「コンテンツＡ」がチューナ２１１により受信される。
【００４９】
次に、ステップＳ４において、液晶テレビ２００の表示部２１７が外部入力（ＤＶＤレコーダ１００の出力）を表示しているか否かが判断される。なお、液晶テレビ２００が外部入力を表示しているか否かは、たとえば、フロントマイコン１１８により、ＨＤＭＩケーブル３００のＣＥＣラインを介して液晶テレビ２００と制御信号をやりとりすることによって判断される。そして、液晶テレビ２００が外部入力を表示していないと判断された場合、すなわち、液晶テレビ２００がチューナ２１１により受信される「コンテンツＡ」を表示していると判断された場合には、ステップＳ５に移る。その一方、液晶テレビ２００が外部入力を表示していると判断された場合には、ステップＳ７に移る。
【００５０】
次に、ステップＳ５において、検出部１１７により、監視が設定された「コンテンツＢ」のハイライトシーンを検出したか否かが判断される。そして、ハイライトシーンを検出したと判断された場合には、ステップＳ６に移る。その一方、ハイライトシーンを検出していないと判断された場合には、ステップＳ７に移る。
【００５１】
次に、ステップＳ６において、フロントマイコン１１８により、ＨＤＭＩ出力端子１１５から液晶テレビ２００に制御信号が出力される。この制御信号は、液晶テレビ２００の表示を外部入力（ＤＶＤレコーダ１００の出力）に切り替えるＣＥＣコマンドである。すなわち、この制御信号は、液晶テレビ２００の表示部２１７に表示されるコンテンツを、チューナ２１１により受信される「コンテンツＡ」からＨＤＭＩ入力端子２１３に入力される「コンテンツＢ」に切り替えるための制御信号である。ＤＶＤレコーダ１００では、その後、ステップＳ７に移る。
【００５２】
そして、液晶テレビ２００では、ステップＳ１１において、フロントマイコン２２１により、ＨＤＭＩ入力端子２１３に制御信号が入力されたか否かが判断される。制御信号が入力されていないと判断された場合には、ステップＳ１１が繰り返し行われる。すなわち、液晶テレビ２００は、制御信号が入力されるまで待機する。そして、制御信号が入力されたと判断された場合には、ステップＳ１２に移る。
【００５３】
次に、ステップＳ１２において、切替部２１４により、表示部２１７に表示されるコンテンツが、チューナ２１１により受信される「コンテンツＡ」からＨＤＭＩ入力端子２１３に入力される「コンテンツＢ」に切り替えられる。その後、ステップＳ１１に戻り、液晶テレビ２００では上記した動作が繰り返し行われる。
【００５４】
ＤＶＤレコーダ１００では、ステップＳ７において、監視が設定された「コンテンツＢ」の放送が終了されたか否かが判断される。そして、「コンテンツＢ」の放送が終了されていないと判断された場合には、ステップＳ４に戻る。その一方、「コンテンツＢ」の放送が終了されたと判断された場合には、裏番組である「コンテンツＢ」のハイライトシーンの発生を監視する動作が終了する。
【００５５】
本実施形態では、上記のように、液晶テレビ２００のチューナ２１１により受信した「コンテンツＡ」を表示部２１７に表示させながら、ＤＶＤレコーダ１００のチューナ１１１により受信した「コンテンツＢ」のハイライトシーンを検出部１１７により検出することによって、ＤＶＤレコーダ１００に複数のチューナを設ける必要がないので、部品点数が増加するのを抑制しながら、裏番組（コンテンツＢ）のハイライトシーンの発生を監視することができる。
【００５６】
そして、検出部１１７により裏番組（コンテンツＢ）のハイライトシーンが検出された場合に、ＤＶＤレコーダ１００から液晶テレビ２００に制御信号を出力するとともに、液晶テレビ２００に制御信号が入力された場合に、切替部２１４により表示部２１７に表示されるコンテンツをＨＤＭＩ入力端子２１３に入力される「コンテンツＢ」に切り替えることによって、利用者が裏番組（コンテンツＢ）のハイライトシーンを視聴することができる。
【００５７】
また、本実施形態では、「コンテンツＢ」の放送が終了されるまで、液晶テレビ２００が外部入力を表示していない場合に、「コンテンツＢ」のハイライトシーンの発生を監視することによって、たとえば、「コンテンツＢ」のハイライトシーンが検出されることにより、液晶テレビ２００の表示が外部入力に切り替えられた後、ハイライトシーンが終了したことにより、利用者がチューナ２１１が受信する「コンテンツＡ」の視聴を再開した場合にも、引き続き「コンテンツＢ」のハイライトシーンの発生を監視することができる。
【００５８】
本発明は、上述した以外にも種々の実施形態を採用することができる。たとえば、上記実施形態では、再生装置の一例であるＤＶＤレコーダ１００に本発明を適用する例を示したが、これに限らず、ビデオデッキなどのその他の再生装置に本発明を適用してもよい。
【００５９】
また、上記実施形態では、表示装置の一例として液晶テレビ２００を示したが、これに限らず、表示装置としてプラズマテレビを用いてもよい。
【００６０】
また、上記実施形態では、ステップＳ６において、ＨＤＭＩ出力端子１１５から液晶テレビ２００の表示を外部入力に切り替えるＣＥＣコマンドを出力する例を示したが、これに限らず、ＨＤＭＩ出力端子１１５から液晶テレビ２００のチャンネルを「コンテンツＢ」に切り替えるＣＥＣコマンドを出力するようにしてもよい。この場合には、ステップＳ１２において、液晶テレビ２００のチューナ２１１が受信するコンテンツを「コンテンツＡ」から「コンテンツＢ」に切り替える。また、ステップＳ４において、液晶テレビ２００が「コンテンツＢ」を表示しているか否かを判断する。
【００６１】
また、ステップＳ６において、ＨＤＭＩ出力端子１１５からハイライトシーンが検出されたことを通知する画面を液晶テレビ２００に表示させるＣＥＣコマンドを出力するようにしてもよい。この場合には、ステップＳ１２において、チューナ２１１が受信する「コンテンツＡ」が表示部２１７に表示されている状態で、裏番組である「コンテンツＢ」においてハイライトシーンが発生したことを通知する画面Ｗ（図３参照）をＯＳＤ部２１６により表示部２１７に表示する。また、ステップＳ４において、液晶テレビ２００が「コンテンツＢ」を表示しているか否かを判断する。このように構成すれば、「コンテンツＡ」の表示が中止されることなく、利用者が裏番組（コンテンツＢ）においてハイライトシーンが発生したことを知ることができる。したがって、利用者は、「コンテンツＡ」の視聴を継続するか、「コンテンツＡ」の視聴を中止して「コンテンツＢ」のハイライトシーンを視聴するかを選択することができる。
【００６２】
また、上記実施形態では、「コンテンツＢ」の放送が開始される前に、ハイライトシーンの監視設定がされる例を示したが、これに限らず、「コンテンツＢ」が放送されているときに、ハイライトシーンの監視設定がされてもよい。
【００６３】
また、上記実施形態では、液晶テレビ２００に「コンテンツＡ」を表示させながら、「コンテンツＢ」のハイライトシーンの発生を監視する例を示したが、これに限らず、液晶テレビ２００の電源がオフ状態のときに、「コンテンツＢ」のハイライトシーンの発生を監視するようにしてもよい。この場合には、「コンテンツＢ」のハイライトシーンが検出された場合に、ＨＤＭＩ出力端子１１５から、液晶テレビ２００の電源をオン状態にするとともに、外部入力に切り替える制御信号を出力する。
【００６４】
また、上記実施形態では、１つの裏番組のハイライトシーンを監視する例を示したが、これに限らず、複数の裏番組のハイライトシーンを監視するようにしてもよい。たとえば、「コンテンツＡ」の裏番組として「コンテンツＢ」、「コンテンツＣ」および「コンテンツＤ」が放送される場合には、チューナ１１１が受信するコンテンツを「コンテンツＢ」、「コンテンツＣ」および「コンテンツＤ」の順に、所定の時間間隔毎に切り替えることにより、「コンテンツＢ」、「コンテンツＣ」および「コンテンツＤ」のハイライトシーンを所定の時間間隔毎に監視するようにしてもよい。
【符号の説明】
【００６５】
１００    ＤＶＤレコーダ（再生装置）
１１１    チューナ（第１受信部）
１１５    ＨＤＭＩ出力端子（出力部）
１１７    検出部
２００    液晶テレビ（表示装置）
２１１    チューナ（第２受信部）
２１３    ＨＤＭＩ入力端子（入力部）
２１４    切替部
２１７    表示部
５００    表示システム
【図１】
2010273002.tif 000003
【図２】
2010273002.tif 000004
【図３】
2010273002.tif 000005